(57)【要約】【課題】壁面緑化時以外の冬季等において、室内やパーゴラの下側からの眺望を阻害することがなく、また、室内やパーゴラの下側への日光の入射を妨げることがない壁面緑化構築物を提供することである。【解決手段】壁面緑化構築物において、略水平方向に延出する上下一対の水平部材４と略上下方向に延出する左右一対の垂直部材５とを有する略矩形状のフレーム２と、略上下方向に延出する向きに配置され、上下両端を水平部材４に横方向移動可能又は着脱可能に係止される複数の縦支柱３と、を備える。【選択図】図２
2010268738.tif 000002
【特許請求の範囲】
【請求項１】
略水平方向に延出する上下一対の水平部材と略上下方向に延出する左右一対の垂直部材とを有する略矩形状のフレームと、
略上下方向に延出する向きに配置され、上下両端を前記水平部材に横方向移動可能又は着脱可能に係止される複数の縦支柱と、
を備えることを特徴とする壁面緑化構築物。
【請求項２】
両端を支持体に支持され、略水平方向に延出する上下一対の水平部材と、
略上下方向に延出する向きに配置され、上下両端を前記水平部材に横方向移動可能又は着脱可能に係止される複数の縦支柱と、
を備えることを特徴とする壁面緑化構築物。
【請求項３】
両端が前記支持体又は前記垂直部材に着脱可能に取付けられ、前記縦支柱と交差して配置された複数の横支柱を有することを特徴とする請求項１又は２記載の壁面緑化構築物。
【請求項４】
前記横支柱は、可燃性材料により形成されていることを特徴とする請求項３記載の壁面緑化構築物。
【請求項５】
前記縦支柱は、巻きつる型つる植物のつる、又は、巻きひげ型つる植物のひげが巻き付き可能な最大の太さに形成されていることを特徴とする請求項１ないし４のいずれか一項に記載の壁面緑化構築物。
【発明の詳細な説明】
【技術分野】
【０００１】
本発明は、つる植物を用いて建物の窓の外側やパーゴラの側面部等の緑化を図る壁面緑化構築物に関する。
【背景技術】
【０００２】
近年、建物の窓の外側やパーゴラの側面部に設置され、つる植物（巻きつる型つる植物や巻きひげ型つる植物）の登攀を補助する登攀補助構造物の発明が提案されている（例えば、下記特許文献１、２参照）。
【０００３】
このような登攀補助構造物に沿ってつる植物を登攀させることにより、建物やパーゴラ等の壁面緑化を図ることができる。この登攀補助構造物を建物の窓の外側に設置した場合には、登攀したつる植物の葉によって窓から室内に入射される日光を遮断することができ、夏季におけるエアコンの使用を抑制することができるとともに自然の風による涼しさを得ることができる。また、この登攀補助構造物をパーゴラの側面部に設置した場合には、夏季においてパーゴラの下側にできる日陰の範囲を広くすることができ、パーゴラの下側空間の快適性を高めることができる。
【先行技術文献】
【特許文献】
【０００４】
【特許文献１】特開平２００４−２１９号公報
【特許文献２】特開平２００６−１６７６２号公報
【発明の概要】
【発明が解決しようとする課題】
【０００５】
しかしながら、特許文献１、２に記載された登攀補助構造物においては、以下の点について考慮されていない。
【０００６】
登攀補助構造物に沿って登攀させるつる植物としては、つるを登攀補助構造物に巻き付かせる巻きつる型つる植物であるアサガオやユウガオ、ひげを登攀補助構造物に巻き付かせる巻きひげ型つる植物であるヘチマやゴーヤ等のような１年生のつる植物が多く、１年生のつる植物は秋季から冬季にかけて枯れる。
【０００７】
特許文献１、２に記載された登攀補助構造物は、つる植物が枯れた壁面緑化時以外の冬季等においても夏季等の壁面緑化時と同じ状態に維持されているため、この登攀補助構造物が室内やパーゴラの下側からの眺望を阻害している。
【０００８】
また、冬季にはできるだけ多くの日光を室内やパーゴラの下側に入射させたいという要望があるが、登攀補助構造物が窓の外側に夏季と同じ状態に維持されていると、登攀補助構造物に妨げられて室内へ入射される日光が減少する。
【０００９】
また、枯れたつる植物のつるやひげが登攀補助構造物に巻き付いている場合には、そのつるやひげによって室内やパーゴラの下側からの眺望がさらに妨げられることになり、及び、室内やパーゴラの下側に入射される日光がさらに減少し、しかも、建物の外観やパーゴラの外観が損なわれる。
【００１０】
本発明はこのような課題を解決するためになされたもので、その目的は、壁面緑化時以外の冬季等において、室内やパーゴラの下側からの眺望を阻害することがなく、また、室内やパーゴラの下側への日光の入射を妨げることがない壁面緑化構築物を提供することを目的とする。
【課題を解決するための手段】
【００１１】
本発明の実施の形態に係る第１の特徴は、壁面緑化構築物において、略水平方向に延出する上下一対の水平部材と略上下方向に延出する左右一対の垂直部材とを有する略矩形状のフレームと、略上下方向に延出する向きに配置され、上下両端を前記水平部材に横方向移動可能又は着脱可能に係止される複数の縦支柱と、を備えることである。
【００１２】
本発明の実施の形態に係る第２の特徴は、壁面緑化構築物において、両端を支持体に支持され、略水平方向に延出する上下一対の水平部材と、略上下方向に延出する向きに配置され、上下両端を前記水平部材に横方向移動可能又は着脱可能に係止される複数の縦支柱と、を備えることである。
【発明の効果】
【００１３】
本発明によれば、壁面緑化時以外の冬季等においては、壁面緑化構築物が室内やパーゴラの下側からの眺望を阻害しないようにすることができ、及び、壁面緑化構築物が室内やパーゴラの下側への日光の入射を妨げないようにすることができる。
【図面の簡単な説明】
【００１４】
【図１】本発明の第１の実施の形態の壁面緑化構築物の使用形態を示す側面図である。
【図２】壁面緑化構築物を示す斜視図である。
【図３】壁面緑化構築物を示す正面図である。
【図４】壁面緑化構築物を示す縦断側面図である。
【図５】縦支柱を横方向に移動させて側方に寄せた状態を示す正面図である。
【図６】本発明の第２の実施の形態の壁面緑化構築物を示す斜視図である。
【図７】壁面緑化構築物を示す正面図である。
【図８】本発明の第３の実施の形態の壁面緑化構築物の設置状態を示す斜視図である。
【図９】縦支柱を横方向に移動させて側方に寄せた状態を示す斜視図である。
【図１０】本発明の第４の実施の形態の壁面緑化構築物の設置状態を示す斜視図である。
【発明を実施するための形態】
【００１５】
以下、本発明の実施の形態を図面を用いて説明する。
【００１６】
（第１の実施の形態）
本発明の第１の実施の形態の壁面緑化構築物１を、図１ないし図５に基づいて説明する。この壁面緑化構築物１は、建物Ａの窓Ｂの外側に立てかけて設置され、１年生のつる植物（巻きつる型つる植物や巻きひげ型つる植物）Ｃを登攀させるものであり、略矩形状のフレーム２と複数の縦支柱３とを有している。
【００１７】
フレーム２は、壁面緑化構築物１を窓Ｂの外側に立てかけて設置した場合に、略水平方向に延出する上下一対の水平部材４と、略上下方向に延出して一対の水平部材４の端部同士を連結する左右一対の垂直部材５とにより形成されている。これらの水平部材４と垂直部材５とは、金属又は樹脂により形成され、及び、その形状は円柱状又は円筒状に形成されている。
【００１８】
縦支柱３は、壁面緑化構築物１を窓Ｂの外側に立てかけて設置した場合に、略上下方向に延出する向きに配置されている。縦支柱３の両端にはフック６が形成され、これらのフック６が上下一対の水平部材４に横方向移動可能に係止されている。これらの縦支柱３は、金属又は樹脂により形成され、及び、その形状が円柱状又は円筒状に形成されている。
【００１９】
ここで、巻きつる型つる植物（例えば、アサガオ、ユウガオ、ルコウソウ、オカワカメ等）のつるや、巻きひげ型つる植物（例えば、ヘチマ、キュウリ、ゴーヤ（ニガウリ）、ヒョウタン、フウセンカズラ等）のひげには、「太い支柱には巻き付きにくい」という性質がある。そこで、この性質を利用してつる植物Ｃのつるやひげを縦支柱３に緩やかに巻き付かせるため、縦支柱３の太さ寸法が、つる植物Ｃのつるやひげが巻き付くことが可能な最大の太さ寸法、例えば、φ１１．０ｍｍに設定されている。なお、つる植物Ｃのつるやひげが巻き付くことが可能な最大の太さ寸法は、つる植物Ｃの種類に応じて変化する値であり、縦支柱３の太さ寸法をつる植物Ｃの種類に応じて適宜変更することが好適である。
【００２０】
隣合う縦支柱３の間隔は、つる植物Ｃの種類や、つる植物Ｃの植栽間隔等に応じて適宜調整可能であり、例えば、５〜３０ｃｍに設定することが好適である。
【００２１】
このような構成において、壁面緑化構築物１に沿ってつる植物Ｃを登攀させる場合には、図１に示すように、壁面緑化構築物１を建物Ａの窓Ｂの外側に立てかけて設置し、壁面緑化構築物１の下端部側につる植物Ｃを植栽するプランターＤを設置する。
【００２２】
プランターＤに植栽されたつる植物Ｃは、つるやひげを縦支柱３に巻き付かせながら壁面緑化構築物１に沿って登攀し、茂った葉や茎によって日光が窓Ｂから室内に入射することを妨げる。これにより、建物Ａ内の住人は、夏季におけるエアコンの使用を抑制することができ、自然の風による涼しさを得ることができる。
【００２３】
なお、つる植物Ｃを壁面緑化構築物１に沿って登攀させる場合には、必要に応じて「誘引」を行なう。この「誘引」とは、つる植物Ｃの茎やつるを紙紐やビニール紐を用いて縦支柱３に結び付け、つるや茎を伸びてほしい方向に導き、つる植物Ｃの形を整える作業である。この「誘引」を行なう回数は、巻きつる型つる植物より巻きひげ型つる植物のほうが多くなることが一般的である。
【００２４】
また、つる植物Ｃのつるやひげが有する「太い支柱には巻き付きにくい」という性質を利用し、縦支柱３の太さ寸法が、つる植物Ｃのつるやひげが巻き付くことが可能な最大の太さ寸法に設定されているため、つる植物Ｃのつるやひげは、縦支柱３に緩やかに巻き付きながら壁面緑化構築物１に沿って登攀する。
【００２５】
壁面緑化構築物１に沿って登攀しているつる植物Ｃが秋季から冬季にかけて枯れた場合には、枯れたつる植物Ｃを壁面緑化構築物１から取除く。これにより、枯れたつる植物Ｃによって室内からの眺望が妨げられことが防止され、さらに、建物Ａの外観が損なわれることが防止される。
【００２６】
枯れたつる植物Ｃを壁面緑化構築物１から取除く作業は、枯れたつる植物Ｃを根元方向へ引っ張ることにより行なう。なお、上述したようにつる植物Ｃのつるやひげの縦支柱３への巻き付きが緩やかに行なわれているため、壁面緑化構築物１から枯れたつる植物Ｃを取除く作業を、短時間で容易に行なうことができる。
【００２７】
ここで、壁面緑化構築物１からつる植物Ｃを取除いてゴミ袋に入れるまでの撤去時間と、壁面緑化構築物１の縦支柱３の太さとの関係を調べる実験を行なったところ、以下のような結果が得られた。なお、第１の実験は、壁面緑化構築物１に約１ヶ月間繁茂させた西洋アサガオ（巻きつる型つる植物）を、縦１８００ｍｍ、横９００ｍｍの範囲で撤去することにより行った。また、第２の実験では、壁面緑化構築物１に約１ヶ月繁茂させたゴーヤ（巻きひげ型つる植物）を、縦１８００ｍｍ、横９００ｍｍの範囲で撤去することにより行なった。
【００２８】
第１の実験の結果によれば、縦支柱３の太さがφ５．５ｍｍの場合には撤去時間が５分０４秒であったのに対し、縦支柱３の太さがφ１１．０ｍｍの場合には撤去時間が２分３２秒であった。
【００２９】
第２の実験の結果によれば、縦支柱３の太さがφ５．５ｍｍの場合には撤去時間が３分００秒であったのに対し、縦支柱３の太さがφ１１．０ｍｍの場合には撤去時間が２分０３秒であった。
【００３０】
以上の実験結果から、縦支柱３の太さをつる植物Ｃのつるやひげが巻き付き可能な最大の太さとすることにより、枯れたつる植物Ｃを壁面緑化構築物１から撤去する作業を短時間で容易に行なえることが判明した。これは、縦支柱３の太さをつる植物Ｃのつるやひげが巻き付き可能な最大の太さとすることにより、つるやひげがその縦支柱３に緩やかに巻き付いており、つる植物Ｃを引っ張って縦支柱３から取除く作業を容易に行なえたからである。
【００３１】
壁面緑化構築物１から枯れたつる植物Ｃを取除いた後、図５に示すように、複数の縦支柱３を水平部材４に沿って横方向に移動させて垂直部材５側に寄せることができる。この縦支柱３の横方向への移動は、縦支柱３がフック６を介して水平部材４に係止されている構造であるため、容易に行なうことができる。
【００３２】
複数の縦支柱３を垂直部材５側に寄せることにより、壁面緑化時以外の冬季等においては、壁面緑化構築物１の縦支柱３が室内からの眺望を阻害しなくなり、及び、縦支柱３が室内への日光の入射を妨げないようになる。
【００３３】
なお、第１の実施の形態では、複数の縦支柱３を水平部材４に横方向移動可能に係止した場合を例に挙げて説明したが、複数の縦支柱３を水平部材４に着脱可能に係止してもよい。着脱可能な係止の態様としては、例えば、ネジ止めすることが挙げられる。この点については、以下に説明する第２〜第４の実施の形態でも同様である。
【００３４】
また、第１の実施の形態では、縦支柱３の形状を柱状又は円筒状にした場合を例に挙げて説明したが、縦支柱の形状を角柱状又は角筒状に形成してもよい。縦支柱の形状を角柱状又は角筒状とすることにより、巻き付いたつるやひげと縦支柱の表面との間に隙間ができるので、壁面緑化構築物１からつる植物を取除く作業をより一層容易に行なうことができる。なお、この場合には、縦支柱の長径寸法を、つる植物Ｃのつるやひげが巻き付き可能な最大寸法とすることが好適である。この点については、以下に説明する第２〜第４の実施の形態でも同様である。
【００３５】
（第２の実施の形態）
本発明の第２の実施の形態の壁面緑化構築物１１を図６及び図７に基づいて説明する。なお、第２の実施の形態及び以下に説明する他の実施の形態において、先行して説明した実施の形態の構成要素と同じ構成要素には同じ符号を付け、重複する説明は省略する。
【００３６】
第２の実施の形態の壁面緑化構築物１１の基本的構成は第１の実施の形態の壁面緑化構築物１と同じであり、壁面緑化構築物１１は壁面緑化構築物１に対して複数の横支柱である横紐１２を追加した構成である。
【００３７】
横紐１２は、麻縄等の可燃性材料により形成され、両端を垂直部材５に結び付けることにより垂直部材５に対して着脱可能に取付けられ、水平部材４と平行に、及び、縦支柱３と重なるように交差して配置されており、横紐１２を縦支柱３に巻回することは不要である。横紐１２の太さ寸法は、つる植物Ｃのひげが強固に巻き付く寸法（例えば、φ２ｍｍ程度）とすることが好適である。隣合う横紐１２の間隔は、つる植物Ｃの種類等に応じて適宜調整可能であり、例えば、５〜３０ｃｍに設定することが好適である。
【００３８】
このような構成において、巻きひげ型つる植物を植栽する場合にこの壁面緑化構築物１１を使用することにより、巻きひげ型つる植物はひげを縦支柱３や横紐１２に巻き付けながら壁面緑化構築物１１に沿って登攀する。
【００３９】
巻きひげ型つる植物は、「縦支柱３のみでは登攀しにくい」という特性があり、巻きひげ型つる植物を第１の実施の形態の壁面緑化構築物１に沿って登攀させる場合には、「誘引」の回数が多くなり、手間がかかっている。
【００４０】
しかし、横紐１２を設けることにより、巻きひげ型つる植物はひげを横紐１２に強固に巻き付けながら壁面緑化構築物１１に沿って登攀し、「誘引」の回数を大幅に減らすことができ、又は、省くことができる。これにより、巻きひげ型つる植物を用いて壁面緑化を行なう場合の手間を軽減することができる。
【００４１】
枯れたつる植物（巻きひげ型つる植物）Ｃを壁面緑化構築物１１から取除く作業に際しては、まず、横紐１２をフレーム２から取外す。横紐１２をフレーム２から取外すと、つる植物Ｃのひげの縦支柱３への巻き付きが緩やかであるのに対し、ひげの横紐１２への巻き付きが強固であるため、つる植物Ｃが横紐１２と供に壁面緑化構築物１１から取除かれる。これにより、ひげを横紐１２に強固に巻き付けたつる植物Ｃを壁面緑化構築物１１からの取除く作業を容易に行なうことができる。壁面緑化構築物１１から取外した横紐１２とつる植物とは、一緒に廃棄し、例えば焼却する。
【００４２】
横紐１２をつる植物Ｃと供に壁面緑化構築物１１から取外した後は、第１の実施の形態で説明したように必要に応じて縦支柱３を横方向へ移動させ、垂直部材５側へ寄せる。これにより、壁面緑化時以外の冬季等においては、壁面緑化構築物１１の縦支柱３が室内からの眺望を阻害しなくなり、及び、縦支柱３が室内への日光の入射を妨げないようになる。
【００４３】
（第３の実施の形態）
本発明の第３の実施の形態の壁面緑化構築物２１を、図８及び図９に基づいて説明する。この壁面緑化構築物２１は、パーゴラＥの側面部に略垂直に設置され、１年生のつる植物Ｃを登攀させるものであり、略水平方向に延出する上下一対の水平部材２２と、複数の縦支柱３とを有している。
【００４４】
水平部材２２は、両端を支持部材であるパーゴラＥの支柱Ｅ１に設けられたネジ止め機構（図示せず）等によりネジ止めして支持されている。この水平部材２２は金属や樹脂等により形成され、例えば、ワイヤにより形成されている。
【００４５】
縦支柱３は第１の実施の形態で説明したように、上下両端にフック６が形成され、これらのフック６が上下一対の水平部材２２に横方向移動可能に係止されている。
【００４６】
このような構成において、パーゴラＥの側面部に壁面緑化構築物２１が設置され、壁面緑化構築物２１の下端部側に設置されたプランター等に植栽されたつる植物が生長すると、このつる植物はつるやひげを縦支柱３に巻き付けながら壁面緑化構築物２１に沿って登攀する。
【００４７】
つる植物が壁面緑化構築物２１に沿って登攀することにより、茂った葉や茎によってパーゴラＥの下側にできる日陰の範囲を広くすることができ、夏季においてパーゴラＥの下側空間の快適性を高めることができる。
【００４８】
なお、第１の実施の形態で説明したように、縦支柱３の太さ寸法が、つる植物のつるやひげが巻き付くことが可能な最大の太さ寸法に設定されており、つる植物のつるやひげは、縦支柱３に緩やかに巻き付きながら壁面緑化構築物２１に沿って登攀する。
【００４９】
壁面緑化構築物２１に沿って登攀しているつる植物が秋季から冬季にかけて枯れた場合には、枯れたつる植物を壁面緑化構築物２１から取除く。これにより、枯れたつる植物によってパーゴラＥの下側からの眺望が妨げられことが防止され、さらに、パーゴラＥの外観が損なわれることが防止される。
【００５０】
枯れたつる植物を壁面緑化構築物２１から取除く作業は、枯れたつる植物を根元方向へ引っ張ることにより行なう。なお、第１の実施の形態で説明したように、つる植物のつるやひげの縦支柱３への巻き付きが緩やかに行なわれているため、壁面緑化構築物２１から枯れたつる植物を取除く作業を、短時間で容易に行なうことができる。
【００５１】
壁面緑化構築物２１から枯れたつる植物を取除いた後、図９に示すように、複数の縦支柱３を水平部材２２に沿って横方向に移動させて支柱Ｅ１側に寄せることができる。この縦支柱３の横方向への移動は、縦支柱３がフック６を介して水平部材２２に係止されている構造であるため、容易に行なうことができる。
【００５２】
複数の縦支柱３を支柱Ｅ１側に寄せることにより、壁面緑化時以外の冬季等においては、壁面緑化構築物２１の縦支柱３がパーゴラＥの下側からの眺望を阻害しなくなり、及び、縦支柱３がパーゴラＥの下側への日光の入射を妨げないようになる。
【００５３】
（第４の実施の形態）
本発明の第４の実施の形態の壁面緑化構築物３１を図１０に基づいて説明する。第４の実施の形態の壁面緑化構築物３１の基本的構成は第３の実施の形態の壁面緑化構築物２１と同じであり、壁面緑化構築物３１は壁面緑化構築物２１に対して複数の横紐１２を追加した構成である。
【００５４】
横紐１２は、麻縄等の可燃性材料により形成され、両端を支柱Ｅ１に結び付けることにより支柱Ｅ１に対して着脱可能に取付けられ、水平部材４と平行に、及び、縦支柱３と重なるように交差して配置されており、横紐１２を縦支柱３に巻回することは不要である。
【００５５】
このような構成において、巻きひげ型つる植物を植栽する場合にこの壁面緑化構築物３１を使用することにより、この巻きひげ型つる植物はひげを縦支柱３や横紐１２に巻き付けながら壁面緑化構築物３１に沿って登攀する。
【００５６】
巻きひげ型つる植物は、上述したように「縦支柱３のみでは登攀しにくい」という特性があり、巻きひげ型つる植物を第３の実施の形態の壁面緑化構築物２１に沿って登攀させる場合には、「誘引」の回数が多くなり、手間がかかっている。
【００５７】
しかし、横紐１２を設けることにより、巻きひげ型つる植物はひげを横紐１２に強固に巻き付けながら壁面緑化構築物３１に沿って登攀し、「誘引」の回数を大幅に減らすことができ、又は、省くことができる。これにより、巻きひげ型つる植物を用いて壁面緑化を行なう場合の手間を軽減することができる。
【００５８】
枯れたつる植物（巻きひげ型つる植物）Ｃを壁面緑化構築物３１から取除く作業に際しては、まず、横紐１２をパーゴラＥの支柱Ｅ１から取外す。横紐１２を支柱Ｅ１から取外すと、つる植物Ｃのひげの縦支柱３への巻き付きが緩やかであるのに対し、ひげの横紐１２への巻き付きが強固であるため、つる植物Ｃが横紐１２と供に壁面緑化構築物３１から取除かれる。これにより、ひげを横紐１２に強固に巻き付けたつる植物Ｃを壁面緑化構築物３１からの取除く作業を容易に行なうことができる。壁面緑化構築物１１から取外した横紐１２とつる植物とは、一緒に廃棄し、例えば焼却する。
【００５９】
横紐１２をつる植物Ｃと供に取外した後は、第３の実施の形態で説明したように必要に応じて縦支柱３を横方向へ移動させ、支柱Ｅ１側へ寄せる。これにより、壁面緑化時以外の冬季等においては、壁面緑化構築物３１の縦支柱３がパーゴラＥの下側からの眺望を阻害しなくなり、及び、縦支柱３がパーゴラＥの下側への日光の入射を妨げないようになる。
【符号の説明】
【００６０】
１      壁面緑化構築物
２      フレーム
３      縦支柱
４      水平部材
５      垂直部材
１１      壁面緑化構築物
１２      横紐（横支柱）
２１      壁面緑化構築物
２２      水平部材
３１      壁面緑化構築物
Ｅ１      支柱（支持部材）
【図１】
2010268738.tif 000003
【図２】
2010268738.tif 000004
【図３】
2010268738.tif 000005
【図４】
2010268738.tif 000006
【図５】
2010268738.tif 000007
【図６】
2010268738.tif 000008
【図７】
2010268738.tif 000009
【図８】
2010268738.tif 000010
【図９】
2010268738.tif 000011
【図１０】
2010268738.tif 000012